(57)【特許請求の範囲】
【請求項１】
パネルを支持部材に取り付ける取付装置であって、水平に延びる荷重負担構造を備え、上記荷重負担構造は水平に延びる受け部材と差込部材を備え、
上記受け部材は、上記支持部材に固定される下側の固定板部と、この固定板部に段差部を介して連なる上側の受け板部とを有し、上記受け板部と上記支持部材との間に受け側挿入空間が形成され、
上記差込部材は、上記パネルの裏面に固定される上側の固定板部と、この固定板部に段差部を介して連なる下側の差込板部とを有し、上記差込板部と上記パネルとの間に差込側挿入空間が形成され、
上記差込板部が上記受け側挿入空間に挿入され、上記受け板部が上記差込側挿入空間に挿入されることにより、上記パネルの荷重が負担されるようになっており、
さらに、上記荷重負担構造の長手方向の両端の少なくとも一方に隣接して配置される保持構造を備え、上記保持構造は第１部材と第２部材を備え、
上記第１部材は、第１固定板部と、この第１固定板部に連なる係合板部とを有し、この係合板部に係合穴が形成され、
上記第２部材は、第２固定板部と、弾性変形可能な係合片とを有し、
上記第１部材の上記第１固定板部と上記第２部材の上記第２固定板部の一方が、上記支持部材に固定され、他方が上記パネルの裏面に固定され、
上記第１部材の上記係合板部と、上記第１固定板部が固定される上記支持部材または上記パネルとの間に、他の挿入空間が形成され、
上記係合片が上記他の挿入空間から上記第１部材の上記係合穴に入り込むことにより、上記パネルの移動が規制されることを特徴とするパネル取付装置。
【請求項２】
上記第１部材の上記係合板部が上記受け部材の上記受け板部と上記差込部材の上記差込板部のいずれか一方に隣接し、上記他の挿入空間が上記受け側挿入空間と上記差込側挿入空間のいずれか一方に連通しており、
上記係合片は、上記第２固定板部が固定される上記支持部材または上記パネルに向かって突出し上記係合穴に入り込む凸部を有し、
上記係合板部には、上記係合片の上記凸部を案内するガイド縁が形成され、このガイド縁は、高さが変化する高さ変化部を有することを特徴とする請求項１に記載のパネル取付装置。
【請求項３】
上記ガイド縁が上記係合片の上記凸部を受け入れ可能な凹部を含み、この凹部の一端の段差が上記高さ変化部として提供されることを特徴とする請求項２に記載のパネル取付装置。
【請求項４】
上記ガイド縁が、傾斜したガイド部を含み、上記ガイド部が上記高さ変化部として提供されることを特徴とする請求項２または３に記載のパネル取付装置。
【請求項５】
上記第１部材の上記第１固定板部が上記支持部材に固定され、上記係合板部が、上記第１固定板部の上側に配置されて上記受け部材の上記受け板部に隣接し、
上記第２部材の上記第２固定板部が上記パネルの裏面に固定され、上記係合片が上記第２固定板部の下側に配置され、
上記ガイド縁が上記係合板部の上縁に形成され、上記ガイド縁の上記凹部が上記係合穴の真上に位置し、上記ガイド縁の一端が、上記受け部材の上記受け板部の上縁と同一高さかこれより低いことを特徴とする請求項３に記載のパネル取付装置。
【請求項６】
上記ガイド縁が、上記受け板部の上縁と同一高さをなして水平に延びる第１ガイド部と、上記第１ガイド部に連なり上記第１ガイド部から離れるにしたがって上方に進むように傾斜した第２ガイド部を含み、上記第２ガイド部が上記段差を介して上記凹部に連なることを特徴とする請求項５に記載のパネル取付装置。
【請求項７】
上記第１部材の上記第１固定板部が上記パネル裏面に固定され、上記係合板部が、上記第１固定板部の下側に配置されて上記差込部材の上記差込板部に隣接し、
上記第２部材の上記第２固定板部が上記支持部材に固定され、上記係合片が上記第２固定板部の上側に配置され、
上記ガイド縁が上記係合板部の下縁に形成され、上記ガイド縁の上記凹部が上記係合穴の真下に位置し、上記ガイド縁の一端が、上記差込部材の上記差込板部の下縁と同一高さかこれより高いことを特徴とする請求項２または３に記載のパネル取付装置。
【請求項８】
上記ガイド縁が、上記差込板部の下縁と同一高さをなして水平に延びる第１ガイド部と、上記第１ガイド部に連なり上記第１ガイド部から離れるにしたがって下方に進むように傾斜した第２ガイド部を含み、上記第２ガイド部が上記段差を介して上記凹部に連なることを特徴とする請求項７に記載のパネル取付装置。
【請求項９】
パネルを支持部材に保持する保持構造であって、第１部材と第２部材を備え、
上記第１部材は、第１固定板部と、この第１固定板部に連なる係合板部とを有し、この係合板部に係合穴が形成され、
上記第２部材は、第２固定板部と、弾性変形可能な係合片とを有し、上記係合片は、上記第２固定板部が固定される上記支持部材または上記パネルに向かって突出する凸部を有し、
上記第１部材の上記第１固定板部と上記第２部材の上記第２固定板部の一方が、上記支持部材に固定され、他方が上記パネルの裏面に固定され、
上記第１部材の上記係合板部と、上記第１固定部材が固定される上記支持部材または上記パネルとの間に、挿入空間が形成され、
上記挿入空間に配置された上記係合片の上記凸部が上記第１部材の上記係合穴に入り込むことにより、上記パネルの移動を規制するようになっており、
上記係合板部には上記係合片の上記凸部を案内するガイド縁が形成され、このガイド縁は、高さが変化する高さ変化部を有することを特徴とするパネル保持構造。
【請求項１０】
上記ガイド縁が上記係合片の上記凸部を受け入れ可能な凹部を含み、この凹部の一端の段差が上記高さ変化部として提供されることを特徴とする請求項９に記載のパネル保持構造。
【請求項１１】
上記ガイド縁が、傾斜したガイド部を含み、このガイド部が上記高さ変化部として提供されることを特徴とする請求項９または１０に記載のパネル保持構造。
【請求項１２】
上記第１部材の上記第１固定板部が上記支持部材に固定され、上記係合板部が上記第１固定板部の上側に配置され、
上記第２部材の上記第２固定板部が上記パネルの裏面に固定され、上記係合片が上記第２固定板部の下側に配置され、
上記ガイド縁が上記係合板部の上縁に形成され、上記ガイド縁の上記凹部が上記係合穴の真上に位置することを特徴とする請求項１０に記載のパネル保持構造。
【請求項１３】
上記ガイド縁が、水平に延びる第１ガイド部と、上記第１ガイド部に連なり上記第１ガイド部から離れるにしたがって上方に進むように傾斜した第２ガイド部を含み、上記第２ガイド部が上記段差を介して上記凹部に連なることを特徴とする請求項１２に記載のパネル保持構造。
【請求項１４】
上記第１部材の上記第１固定板部が上記パネル裏面に固定され、上記係合板部が、上記第１固定板部の下側に配置され、
上記第２部材の上記第２固定板部が上記支持部材に固定され、上記係合片が上記第２固定板部の上側に配置され、
上記ガイド縁が上記係合板部の下縁に形成され、上記ガイド縁の上記凹部が上記係合穴の真下に位置することを特徴とする請求項１０に記載のパネル保持構造。
【請求項１５】
上記ガイド縁が、水平に延びる第１ガイド部と、上記第１ガイド部に連なり上記第１ガイド部から離れるにしたがって下方に進むように傾斜した第２ガイド部を含み、上記第２ガイド部が上記段差を介して上記凹部に連なることを特徴とする請求項１４に記載のパネル保持構造。
【発明の詳細な説明】
【技術分野】
【０００１】
本発明は、パネルを壁等の支持部材に取り付ける装置、およびパネルを所定位置に安定して保持する構造に関する。
【背景技術】
【０００２】
特許文献１には、パネルを壁に取り付ける装置が開示されている。簡単に説明すると、この取付装置は、例えばパネルの４隅部にそれぞれ配置されており、壁に固定された水平に延びる受け部材と、パネルの裏面に固定された水平に延びる差込部材とを備えている。
受け部材は、下側の固定板部と、上側の受け板部と、これら固定板部と受け板部との間に形成された段差部とを有している。受け部材の固定板部が壁に固定された状態で、受け板部と壁との間には挿入空間が形成されている。
差込部材は、上側の固定板部と、下側の差込板部と、これら固定板部と差込板部との間に形成された段差部とを有している。差込部材の固定板部がパネルの裏面に固定された状態で、差込板部はパネルの裏面から離間している。
【０００３】
上記差込部材の差込板部を、上記壁と受け部材の受け板部との間に形成された挿入空間に、上方から差し込むことにより、パネルが壁に取り付けられる。
上記受け部材と上記差込部材を長尺にした取付装置も公知である。このような長尺の取付装置を用いる場合には、例えばパネルの上下２箇所に配置することにより、パネルを壁に取り付けることができる。
【先行技術文献】
【特許文献】
【０００４】
【特許文献１】米国特許９１６９６５３号公報
【発明の概要】
【発明が解決しようとする課題】
【０００５】
特許文献１に開示された取付装置や上述した公知の取付装置では、差込部材の差込板部が単に受け部材側の挿入空間に差し込まれているだけであるので、パネルが左右方向に力を受けた時に、正規の取付位置から大きくずれてしまう。受け部材と差込部材が短い場合には壁から脱落することもある。さらに、パネルが上方への力を受けた時には、差込板部が挿入空間から外れ、パネルが壁から脱落する可能性もある。
【課題を解決するための手段】
【０００６】
本発明は、上記の問題を解決するためになされたもので、パネルを支持部材に取り付ける取付装置であって、水平に延びる荷重負担構造を備え、上記荷重負担構造は水平に延びる受け部材と差込部材を備え、上記受け部材は、上記支持部材に固定される下側の固定板部と、この固定板部に段差部を介して連なる上側の受け板部とを有し、上記受け板部と上記支持部材との間に受け側挿入空間が形成され、上記差込部材は、上記パネルの裏面に固定される上側の固定板部と、この固定板部に段差部を介して連なる下側の差込板部とを有し、上記差込板部と上記パネルとの間に差込側挿入空間が形成され、上記差込板部が上記受け側挿入空間に挿入され、上記受け板部が上記差込側挿入空間に挿入されることにより、上記パネルの荷重が負担されるようになっており、
さらに、上記荷重負担構造の長手方向の両端の少なくとも一方に隣接して配置される保持構造を備え、上記保持構造は第１部材と第２部材を備え、上記第１部材は、第１固定板部と、この第１固定板部に連なる係合板部とを有し、この係合板部に係合穴が形成され、上記第２部材は、第２固定板部と、弾性変形可能な係合片とを有し、上記第１部材の上記第１固定板部と上記第２部材の上記第２固定板部の一方が、上記支持部材に固定され、他方が上記パネルの裏面に固定され、上記第１部材の上記係合板部と、上記第１固定板部が固定される上記支持部材または上記パネルとの間に、他の挿入空間が形成され、
上記係合片が上記他の挿入空間から上記第１部材の上記係合穴に入り込むことにより、上記パネルの移動が規制されることを特徴とする。
【０００７】
上記構成によれば、荷重負担構造でパネルの荷重を負担するとともに、保持構造によりパネルの左右方向および上方への移動を規制するので、パネルを支持部材に対して安定して正規の取付位置に保持することができ、脱落も防止できる。
【０００８】
好ましくは、上記第１部材の上記係合板部が上記受け部材の上記受け板部と上記差込部材の上記差込板部のいずれか一方に隣接し、上記他の挿入空間が上記受け側挿入空間と上記差込側挿入空間のいずれか一方に連通しており、上記係合片は、上記第２固定板部が固定される上記支持部材または上記パネルに向かって突出し上記係合穴に入り込む凸部を有し、上記係合板部には、上記係合片の上記凸部を案内するガイド縁が形成され、このガイド縁は、高さが変化する高さ変化部を有する。
上記構成によれば、係合片の凸部がガイド縁で案内される過程で高さ変化部により係合穴の位置を知ることができるので、保持構造がパネルの裏側にあって見えなくても、係合片の凸部を係合穴に簡単に係合させることができる。
【０００９】
好ましくは、上記ガイド縁が上記係合片の上記凸部を受け入れ可能な凹部を含み、この凹部の一端の段差が上記高さ変化部として提供される。
上記構成によれば、係合片の凸部がガイド縁で案内される過程で段差を越えて凹部に受入れられることによりパネルが落ち込むので、はっきりと係合片の凸部の位置を確認でき、簡単に係合片の凸部を係合穴に係合させることができる。
【００１０】
好ましくは、上記ガイド縁が、傾斜したガイド部を含み、上記ガイド部が上記高さ変化部として提供される。
上記構成によれば、係合片の凸部の高さがガイド部に沿って変化することにより、係合穴の位置を知ることができる。
【００１１】
上記パネル取付装置のより具体的な例では、上記第１部材の上記第１固定板部が上記支持部材に固定され、上記係合板部が、上記第１固定板部の上側に配置されて上記受け部材の上記受け板部に隣接し、上記第２部材の上記第２固定板部が上記パネルの裏面に固定され、上記係合片が上記第２固定板部の下側に配置され、上記ガイド縁が上記係合板部の上縁に形成され、上記ガイド縁の上記凹部が上記係合穴の真上に位置し、上記ガイド縁の一端が、上記受け部材の上記受け板部の上縁と同一高さかこれより低い。
上記構成によれば、パネルの左右方向の移動に伴い、第２部材が第１部材に対して左右方向に移動する過程で、係合片の凸部がガイド縁の凹部に落ち込むことにより、係合片の凸部が係合穴の真上に達したことを知ることができるので、パネルを押し下げるだけで係合片の凸部を係合穴に簡単に係合させることができる。また、上記係合片の凸部を荷重負担構造の受け板部の上縁からガイド縁へと円滑に案内することができる。
【００１２】
上記具体例において好ましくは、上記ガイド縁が、上記受け板部の上縁と同一高さをなして水平に延びる第１ガイド部と、上記第１ガイド部に連なり上記第１ガイド部から離れるにしたがって上方に進むように傾斜した第２ガイド部を含み、上記第２ガイド部が上記段差を介して上記凹部に連なる。
上記構成によれば、係合片の凸部が受け板部の上縁からガイド縁の第１ガイド部への移り、第２ガイド部に沿って上昇した後、凹部へと落ち込むので、より一層明確に高さの変化を知ることができ、係合片の凸部を係合穴に円滑に係合させることができる。
【００１３】
上記パネル取付装置の変形例では、上記第１部材の上記第１固定板部が上記パネル裏面に固定され、上記係合板部が、上記第１固定板部の下側に配置されて上記差込部材の上記差込板部に隣接し、上記第２部材の上記第２固定板部が上記支持部材に固定され、上記係合片が上記第２固定板部の上側に配置され、上記ガイド縁が上記係合板部の下縁に形成され、上記ガイド縁の上記凹部が上記係合穴の真下に位置し、上記ガイド縁の一端が、上記差込部材の上記差込板部の下縁と同一高さかこれより高い。
上記構成によれば、パネルの左右方向の移動に伴い、第１部材が第２部材に対して左右方向に移動する過程で、係合片の凸部がガイド縁の凹部に入り込んでパネルが落ち込むことにより、係合穴が係合片の凸部の真下に達したことを知ることができるので、パネルを押し下げるだけで係合片の凸部を係合穴に簡単に係合させることができる。また、上記係合片の凸部を差込板部の下縁からガイド縁へと円滑に案内することができる。
【００１４】
上記変形例において好ましくは、上記ガイド縁が、上記差込板部の下縁と同一高さをなして水平に延びる第１ガイド部と、上記第１ガイド部に連なり上記第１ガイド部から離れるにしたがって下方に進むように傾斜した第２ガイド部を含み、上記第２ガイド部が上記段差を介して上記凹部に連なる。
上記構成によれば、ガイド縁が係合片の凸部に乗って移動する過程で、係合片の凸部が差込板部の下縁からガイド縁の第１ガイド部への移り、第２ガイド部に沿って滑る際に、第２部材を持ち上げ、その後で凹部へと入り込むので、より一層明確に高さの変化を知ることができ、係合片の凸部を係合穴に円滑に係合させることができる。
【００１５】
本発明の他の態様によれば、パネルを支持部材に保持する保持構造であって、第１部材と第２部材を備え、上記第１部材は、第１固定板部と、この第１固定板部に連なる係合板部とを有し、この係合板部に係合穴が形成され、上記第２部材は、第２固定板部と、弾性変形可能な係合片とを有し、上記係合片は、上記第２固定板部が固定される上記支持部材または上記パネルに向かって突出する凸部を有し、上記第１部材の上記第１固定板部と上記第２部材の上記第２固定板部の一方が、上記支持部材に固定され、他方が上記パネルの裏面に固定され、  上記第１部材の上記係合板部と、上記第１固定部材が固定される上記支持部材または上記パネルとの間に、挿入空間が形成され、上記挿入空間に配置された上記係合片の上記凸部が上記第１部材の上記係合穴に入り込むことにより、上記パネルの移動を規制するようになっており、上記係合板部には上記係合片の上記凸部を案内するガイド縁が形成され、このガイド縁は、高さが変化する高さ変化部を有する。
上記構成によれば、係合片の凸部がガイド縁で案内される過程で高さ変化部により係合穴の位置を知ることができるので、保持構造がパネルの裏側にあって見えなくても、係合片の凸部を係合穴に簡単に係合させることができる。
【００１６】
上記パネル保持構造において好ましくは、上記ガイド縁が上記係合片の上記凸部を受け入れ可能な凹部を含み、この凹部の一端の段差が上記高さ変化部として提供される。
上記パネル保持構造において好ましくは、上記ガイド縁が傾斜したガイド部を含み、このガイド部が上記高さ変化部として提供される。
【００１７】
上記パネル保持構造のより具体な例では、上記第１部材の上記第１固定板部が上記支持部材に固定され、上記係合板部が上記第１固定板部の上側に配置され、上記第２部材の上記第２固定板部が上記パネルの裏面に固定され、上記係合片が上記第２固定板部の下側に配置され、上記ガイド縁が上記係合板部の上縁に形成され、上記ガイド縁の上記凹部が上記係合穴の真上に位置する。
上記具体例において好ましくは、上記ガイド縁が、水平に延びる第１ガイド部と、上記第１ガイド部に連なり上記第１ガイド部から離れるにしたがって上方に進むように傾斜した第２ガイド部を含み、上記第２ガイド部が上記段差を介して上記凹部に連なる。
【００１８】
上記パネル保持構造の変形例では、上記第１部材の上記第１固定板部が上記パネル裏面に固定され、上記係合板部が、上記第１固定板部の下側に配置され、上記第２部材の上記第２固定板部が上記支持部材に固定され、上記係合片が上記第２固定板部の上側に配置され、上記ガイド縁が上記係合板部の下縁に形成され、上記ガイド縁の上記凹部が上記係合穴の真下に位置する。
上記変形例において好ましくは、上記ガイド縁が、水平に延びる第１ガイド部と、上記第１ガイド部に連なり上記第１ガイド部から離れるにしたがって下方に進むように傾斜した第２ガイド部を含み、上記第２ガイド部が上記段差を介して上記凹部に連なる。
【発明の効果】
【００１９】
本発明によれば、パネルの左右方向および上方への移動を規制するので、パネルを支持部材に対して安定して正規の取付位置に保持することができ、脱落も防止できる。
【図面の簡単な説明】
【００２０】
【図１】下側のパネル取付装置と本発明の第１実施形態に係る上側のパネル取付装置を示す分解斜視図であり、パネルを省略して示す。
【図２】上下のパネル取付装置のパネル側構成要素を、パネルの裏側から見た斜視図である。
【図３】上下のパネル取付装置を用いてパネルを壁に取り付ける直前の状態を示す左側面図である。
【図４】下側パネル取付装置の拡大断面図である。
【図５】上側パネル取付装置の保持構造の拡大断面図である。
【図６】上記保持構造の分解斜視図である。
【図７】上記保持構造を係合状態で示す斜視図である。
【図８】上記保持構造の分解側面図である。
【図９】（Ａ）〜（Ｄ）は、比較的軽いパネルを壁に取り付ける場合の保持構造の係合の過程を順を追って説明する正面図である。
【図１０】（Ａ）、（Ｂ）は、比較的重いパネルを壁に取り付ける場合の保持構造の係合の過程を順を追って説明する正面図である。
【図１１】本発明の第２実施形態に係る上側のパネル取付装置において、保持構造の係合の過程を順を追って説明する正面図、すなわちパネル側から見た図である。
【図１２】上記第２実施形態に係る上側のパネル取付装置において、保持構造の係合の過程を順を追って説明する背面図、すなわち壁側から見た図である。
【発明を実施するための形態】
【００２１】
以下、本発明の第１実施形態を、図１〜図１０を参照しながら説明する。図１〜図３に示すように、壁１（支持部材）にパネル２を取り付けるために、本発明に係る上側のパネル取付装置５Ａと、下側のパネル取付装置５Ｂ（以下、単に取付装置と言う。）が用いられる。なお、図１、図３では壁１をパネル２と同サイズに切り取って示している。
【００２２】
（下側の取付装置５Ｂの構成）
下側の取付装置５Ｂは、左右に水平に延びる受け部材１０と差込部材２０を備えている。本実施形態では、これら受け部材１０と差込部材２０は、同一断面形状のアルミの押出型材を、パネル２のサイズに応じて同一長さに切断することにより得られる。
【００２３】
受け部材１０は、下側の固定板部１１と、この固定板部１１と平行をなす上側の受け板部１２と、これら固定板部１１と受け板部１２との間に形成された段差部１３と、を有している。受け部材１０の固定板部１１がビス１９で壁１に固定され、受け板部１２と壁１との間には、挿入空間１４（受け側挿入空間）が形成されている。
【００２４】
差込部材２０は、上側の固定板部２１と、この固定板部２１と平行をなす下側の差込板部２２と、これら固定板部２１と差込板部２２との間に形成された段差部２３とを有している。差込部材２０の固定板部２１がビス２９でパネル２の裏面に固定され、差込板部２２とパネル２の裏面との間には挿入空間２４（差込側挿入空間）が形成されている。
【００２５】
（下側の取付装置５Ｂの役割）
図４に示すように、下側の取付装置５Ｂにおいて、パネル２の下部に固定された差込部材２０の差込板部２２を、壁１と受け部材１０の受け板部１２との間に形成された挿入空間１４に、上方から差し込む。この時、受け板部１２は、差込部材２０の差込板部２２とパネル２の間の挿入空間２４に差し込まれる。
差込部材２０の差込板部２２の下縁が受け部材１０の段差部１３に当たり、受け部材１０の受け板部１２の上縁が差込部材２０の段差部２３に当たることにより、取付装置５Ｂがパネル２の荷重の一部を負担した状態で、パネル２の下部が壁１に取り付けられる。
【００２６】
（上側の取付装置５Ａの構成）
図１に示すように、上側の取付装置５Ａは、左右に水平に延びる荷重負担構造６と、この荷重負担構造６の両端に隣接して配置された一対の保持構造７とを備えている。
荷重負担構造６は、下側の取付装置５Ｂと同一の構成を有しているので、取付装置５Ｂに対応する構成部に同番号を付してその詳細な説明を省略する。
【００２７】
（保持構造７の構成）
取付装置５Ａの各保持構造７は、壁１に固定された第１部材３０と、パネル２の裏面に固定された第２部材４０とを備えている。
図６に示すように、第１部材３０は、板金を加工することにより構成されており、下側の固定板部３１（第１固定板部）と、上側の係合板部３２と、これら固定板部３１と係合板部３２との間に形成された段差部３３と、固定板部３１の左右に配置された鍔部３４と、固定板部３１と鍔部３４との間に形成された段差部３５を有している。係合板部３２と左右一対の鍔部３４は、同一平面上に配置されるとともに、固定板部３１と平行をなしている。係合板部３２の横幅は固定板部３１と略等しい。
【００２８】
係合板部３２の上縁は、ガイド縁３６として提供される。ガイド縁３６は、その両端部に形成された水平に延びる一対の第１ガイド部３６ａと、第１ガイド部３６ａに連なり左右幅方向中央に向かって上に進むように傾斜した一対の第２ガイド部３６ｂ（高さ変化部）と、中央の浅い凹部３６ｃと、この凹部３６ｃと第２ガイド部３６ｂとの間との間に形成された段差３６ｄ（高さ変化部）とを有している。
係合板部３２には、矩形をなす係合穴３７が形成されている。この係合穴３７の左右方向の寸法は上記凹部３６ｃと同じかこれより大きくするのが好ましい。係合穴３７はガイド縁３６の凹部３６ｃの真下に位置している。
【００２９】
第１部材３０の一方の段差部３５を、受け部材１０の固定板部１１の長手方向一端に当てるとともに、係合板部３２の一方の側縁を受け部材１０の受け板部１２の長手方向一端に当てることにより、第１部材３０は受け部材１０に対して位置決めされる。この位置決め状態で、ビス３９により固定板部３１が壁１に固定される。この位置決め・固定状態において、第１部材３０の一方の鍔部３５が受け部材１０の一端部に接している。
【００３０】
第１部材３０が壁１に固定された状態で、係合板部３２と受け板部１２が面一をなし、係合板部３２と壁１との間には、上記挿入空間１４と連なる挿入空間３８（他の挿入空間）が形成されている。
図１、図９に示すように、上記第１ガイド部３６ａは、受け部材１０の受け板部１２の上縁と等しい高さをなし、この上縁と実質的に連なっている。
【００３１】
図６に示すように、第２部材４０は、板金を加工することにより構成されており、上側の固定板部４１（第２固定板部）と、下側の支持板部４２と、これら固定板部４１と支持板部４２との間に形成された段差部４３と、固定板部４１の左右に配置された鍔部４４と、固定板部４１と鍔部４４との間に形成された段差部４５を有している。支持板部４２と左右一対の鍔部４４は、同一平面上に配置されるとともに、固定板部４１と平行をなしている。支持板部４２の横幅は固定板部４１と略等しい。
【００３２】
支持板部４２には係合爪４７が形成されている。係合爪４７は、支持板部４２に形成された穴４６の下縁から斜め上方にパネル２に向かって延びており、その上端近傍には、断面が略半円弧形状をなしてパネル２に向かって突出する凸部４７ａが形成されている。
【００３３】
第２部材４０の一方の段差部４５を差込部材２０の固定板部２１の長手方向一端に当てるとともに、支持板部４２の一方の側縁を差込部材２０の差込板部２２の長手方向一端に当てることにより、第２部材４０は差込部材２０に対して位置決めされる。この位置決め状態で、ビス４９により固定板部４１がパネル２の裏面に固定される。この位置決め・固定状態において、第２部材４０の一方の鍔部４５が差込部材２０の一端部に接している。
【００３４】
第２部材４０がパネル２に固定された状態で、支持板部４２と差込板部２２が面一をなし、支持板部４２とパネル２との間には、上記挿入空間２４と連なる挿入空間４８が形成されている。
【００３５】
（上側の取付装置５Ａの役割）
上側の取付装置５Ａの荷重負担部６では、下側の取付装置５Ｂと同様に、差込部材２０を受け部材１０に差し込むことにより、パネル２の上部を壁１に取り付けるとともに、パネル２の荷重の一部を負担する。
【００３６】
上記パネル２の取付状態において、図５に示すように、第１部材３０の係合板部３２と壁１との間の挿入空間３８に、第２部材４０の支持板部４２と係合片４７が入り込み、第２部材４０の支持板部４２とパネル２との間の挿入空間４８に、第１部材３０の係合板部３２が入り込んでいる。正面から見た時に、第１部材３０の係合板部３２と第２部材４０の支持板部４２はほぼ重なり合っている。
【００３７】
図５、図７に示すように、第１部材３０の係合板部３２の係合穴３７に、第２部材４０の係合爪４７の凸部４７ａが入り込んでいる。
パネル２に左右方向の力が作用したときには、係合爪４７の凸部４７ａの左右いずれかの縁が係合穴３７の左右のいずれかの縁に当たることにより、パネル２の左右方向の移動を規制することができる。なお、係合爪４７の凸部４７ａの幅は係合穴３７の幅より小さく、両者の幅の差に相当するストローク分だけ、パネル２の左右方向の移動は許容されている。
【００３８】
パネル２に上方への外力が付与された時には、係止片４７の凸部４７ａの上部が係合穴３７の上縁に係止されるため、第２部材４０が第１部材３０から外れるのを防止でき、これにより、差込部材２０が受け部材１０から外れるのを防止できるので、パネル２の壁１からの脱落を防止することができる。
なお、パネル２の重力と係合爪４７の弾性力を加算した力を越える持ち上げ力を、パネル２に付与した時には、第２部材４０の係合爪４７と第１部材３０の係合穴３７との係合を解除でき、パネル２を壁１から取り外すことができる。
【００３９】
（パネル２の取付工程・・パネル２が軽い場合）
次に、パネル２の壁１への取付工程について図９を参照しながら説明する。なお、図９に示す工程はパネル２が比較的軽量の場合に実行される工程である。
壁１には予め上側取付装置５Ａの受け部材１０および左右の第１部材３０と、下側取付装置５Ｂの受け部材１０が固定されている。パネル２の裏面には、予め上側取付装置５Ａの差込部材２０および左右の第２部材４０と、下側取付装置５Ｂの差込部材２０が固定されている。
【００４０】
作業者がパネル２を持ち、パネル２を壁１への正規の取付位置より右斜め上方の位置から下方に降ろすと、差込部材２０の差込板部２２が受け部材１０の挿入空間１４に入り込むとともに、左側の第２部材４０の支持板部４２と係止片４７が挿入空間１４，３８に入り込む。
【００４１】
図９（Ａ）に示すように、左側の第２部材４０の係合片４７の凸部４７ａが、受け部材１０の受け板部１２の上縁に乗る。この状態では、差込部材２０の段差部２３が受け部材１０の受け板部１２の上縁から離れ、差込部材２０の差込板部２２の下縁が受け部材１０の段差部１３から離れているので、荷重負担部６はパネル２の荷重を受け止めていない。下側の取付装置５Ｂでも同様である。
右側の第２部材４０の係合片４７の凸部４７ａは浮いているので、作業者がパネル２の右側の荷重を負担する。
【００４２】
次に、左側の第２部材４０の係合片４７の凸部４７ａを受け部材１０の上縁に乗せたままパネル２を左方向に移動させる。すると、係合片４７が第１部材３０の係合板部４２と壁１との間の挿入空間３８に入り込むとともに、係合片４７の凸部４７ａが、受け板部１２の上縁を滑り、第１部材３０のガイド縁３６の右側の第１ガイド部３６ａに移る。この時、右側の保持構造７でも第２部材４０の係合片４７の凸部４７ａが第１部材３０のガイド縁３６の右側の第１ガイド部３６ａに乗る。以後の工程では、作業者はパネル２の荷重を負担せずに済む。
【００４３】
さらにパネル２を左方向に移動させると、左右の保持構造７において、係合片４７の凸部４７ａが第１ガイド部３６ａをスライドしながら移動して第２ガイド部３６ｂに至り、さらに図９（Ｂ）に示すように第２ガイド部３６ｂの傾斜に沿ってスライドする。これにより、パネル２は左方向へ移動しながら上方に移動する。
【００４４】
さらにパネル２を左方向に移動させると、図９（Ｃ）に示すように、左右の保持構造７において、係合片４７の凸部４７ａが第２ガイド部３６ｂの上端部に乗りながら移動し、やがて第２ガイド部３６ｂの上端部および段差３６ｄを越えた時に、図９（Ｄ）に示すように、パネル２の自重で凹部３６ｃへと落ち込み、凹部３６ｃの底縁に乗る。パネル２が凹部３６ｃの深さ分だけ落ち込んだことにより、作業者はパネル２の左右方向の位置がほぼ壁１への正規の取付位置に達したことを知ることができる。
【００４５】
次に作業者がパネル２を下方に押し下げると、凸部４７ａが凹部３６ｃと係合穴３７との間の架橋部に押されて係合片４７が弾性変形する。さらに押し下げると、凸部４７ａがこの架橋部を乗り越えて係合穴３７に至り、係合片４７が弾性復帰する。これと同時に荷重負担構造６の差込部材２０が受け部材１０に完全に差し込まれ（差込部材２０の下縁が受け部材１０の段差１３に当たるとともに、差込部材２０の段差２３が受け板部１２の上縁に当たり）、パネル２の荷重を負担した状態になる。下側の取付装置５Ｂでも同様である。
【００４６】
（パネル２の取付工程・・パネル２が重い場合）
次に、比較的重いパネル２を壁１に取り付ける工程について図１０を参照しながら説明する。
パネル２が軽い場合と同様に、作業者がパネル２を持ち、パネル２を壁１への正規の取付位置より右斜め上方の位置から下方に降ろすと、左側の保持構造７の第２部材４０の係合片４７の凸部４７ａが受け部材１０の受け板部１２の上縁に乗る。図９（Ａ）参照。
【００４７】
次に、パネル２を左方向に移動させると、左右の保持構造７の係合片４７の凸部４７ａがそれぞれガイド縁３６の右側の第１ガイド部３６ａに乗り、さらにパネル２を左方向に移動させると係合片４７の凸部４７ａは第１ガイド部３６ａに沿って移動し、傾斜した第２ガイド部３６ｂに当たる。しかし、パネル２が重いため凸部４７ａは第２ガイド部３６ｂに沿って上方へ移動できず、図１０（Ａ）に示すように、第１部材３０の係合板部３２と壁１との間の挿入空間３８に入り込む。この際、凸部４７ａが係合板部３２に押されるため係合片４７は弾性変形している。
【００４８】
さらにパネル２を左方向に移動させると、凸部４７ａが係合穴３７に達し、係合片４７が弾性復帰する。なお、このパネル２の左方向への移動の過程で、パネル２の重量によりパネル２は下方に移動し、凸部４７ａが係合穴３７に達するまでに差込部材２０が受け部材１０に完全に差し込まれた状態（差込部材２０の下縁が受け部材１０の段差１３に当たるとともに、差込部材２０の段差２３が受け板部１２の上縁に当たった状態）になる。
【００４９】
（パネル２の取付工程・・パネル２がさらに重い場合）
パネル２がより一層重い場合には、パネル２を壁１への正規の取付位置より右斜め上方の位置から下方に降ろすと、左側の第２部材４０の係合片４７の凸部４７ａが受け部材１０の上縁に乗らず、挿入空間１４に入り込む。この状態で、係止片４７は弾性変形されている。上側の取付装置５Ａの荷重負担部６および下側の取付装置５Ｂでは、差込部材２０が受け部材１０に完全に差し込まれ、パネル２の荷重を負担する。
【００５０】
次に、パネル２を左方向に移動させると、差込部材２０が受け部材１０に対してスライドし、左右の保持構造７において、係合片４７の凸部４７ａが第１部材３０の係合板部３２に接しながら移動する。やがて凸部４７ａが係合穴３７に達した時に、係合片４７が弾性復帰し、図１０（Ｂ）の状態になる。
【００５１】
（本発明の第２実施形態）
次に、本発明の第２実施形態に係るパネル取付装置について、図１１、図１２を参照しながら説明する。本実施形態でも第１実施形態と同様に上側パネル取付装置は、荷重負担構造６と、その両端に隣接して配置された保持構造７’とを備えている。なお、図１１は図９と同様に上側パネル取付装置を、正面すなわちパネル側から見た図であり、図１２は上側パネル取付装置を、背面すなわち壁側から見た図であり、そのため、図１１と図１２では左右方向が逆になっている。以下の説明での左右方向は、図１１の左右方向を意味する。
【００５２】
本実施形態では、第１部材３０と第２部材４０は第１実施形態と同一構成をなしているので、同番号を付してその詳細な説明を省略する。本実施形態では第１部材３０と第２部材４０の位置が第１実施形態と上下逆になっており、第１部材３０がパネルの裏面に固定され、第２部材４０が壁に固定されている。以下、詳述する。
【００５３】
第１部材３０の固定板部３１がパネルに固定された状態で、係合板部３２は固定板部３１の下側に配置され、係合板部３２の下縁がガイド縁３６として提供される。係合板部３２は差込部材２０の差込板部２２と面一をなして隣接し、係合板部３２とパネルとの間の挿入空間３８が荷重負担構造６の差込側挿入空間２４と連なっている。図１２（Ａ）参照。ガイド縁３６の一方の第１ガイド部３６ａが差込板部２２の下縁と同一高さで連なっている。ガイド縁３６の凹部３６ｃは、係合穴３７の真下に位置している。
【００５４】
第２部材４０の固定板部４１が壁に固定された状態で、支持板部４２および係合片４７が固定板部４１の上側に配置されている。支持板部４２は受け部材１０の受け板部１２と面一をなしており、支持板部４２と壁との間に形成された挿入空間４８が、荷重負担構造６の受け側挿入空間１４と連なっている。図１１（Ａ）参照
【００５５】
（第２実施形態におけるパネルの取付工程）  
次に、パネル２の壁１への取付工程について説明する。
作業者がパネル２を持ち、パネル２を壁１への正規の取付位置より左斜め上方の位置から下方に降ろすと、左側の第２部材４０の支持板部４２と係止片４７が、差込側挿入空間２４と、第１部材３０の係合板部３２とパネルとの間の挿入空間３８に入り込む。
【００５６】
図１１（Ａ）、図１２（Ａ）に示すように、左側の第２部材４０の係合片４７の凸部４７ａに、差込部材２０の差込板部２２の下縁が乗る。
次に、左側の第２部材４０の係合片４７の凸部４７ａに差込板部２２の下縁を乗せたままパネル２を右方向に移動させる。すると、係合片４７の凸部４７ａが、差込部材２０の下縁を滑り、第１部材３０のガイド縁３６の右側の第１ガイド部３６ａに移る。この時、右側の保持構造７’でも第２部材４０の係合片４７の凸部４７ａに第１部材３０のガイド縁３６の右側の第１ガイド部３６ａが乗る。
【００５７】
さらにパネル２を右方向に移動させると、左右の保持構造７’において、係合片４７の凸部４７ａが第１ガイド部３６ａをスライドして第２ガイド部３６ｂに至り、さらに図１１（Ｂ）、１２（Ｂ）に示すように第２ガイド部３６ｂの傾斜に沿ってスライドする。これにより、パネル２は右方向へ移動しながら上方に移動する。
【００５８】
さらにパネル２を右方向に移動させると、図１１（Ｃ）、図１２（Ｃ）に示すように、左右の保持構造７’において、係合片４７の凸部４７ａが第２ガイド部３６ｂの下端部に接し、やがて段差３６ｄを越えた時に、図１１（Ｄ）、図１２（Ｄ）に示すように、パネル２の自重で第１部材３０が下方に移動し、ガイド縁３６の凹部３６ｃに係合片４７の凸部４７ａが入り込み、凹部３６ｃの底縁が係合片４７の凸部４７ａに乗る。パネル２が凹部３６ｃの深さ分だけ落ち込んだことにより、作業者はパネル２の左右方向の位置がほぼ壁１への正規の取付位置に達したことを知ることができる。
【００５９】
次に作業者がパネル２を下方に押し下げると、凸部４７ａが凹部３６ｃと係合穴３７との間の架橋部に押されて係合片４７が弾性変形する。さらに押し下げると、凸部４７ａがこの架橋部を乗り越えて係合穴３７に至り、係合片４７が弾性復帰する。これと同時に荷重負担構造６の差込部材２０が受け部材１０に完全に差し込まれ（差込部材２０の下縁が受け部材１０の段差１３に当たるとともに、差込部材２０の段差２３が受け板部１２の上縁に当たり）、パネル２の荷重を負担した状態になる。
【００６０】
第２実施形態の保持構造７’の役割（パネル移動規制）は第１実施形態と同様であるので、説明を省略する。
【００６１】
本発明は、上記実施に制約されず、その要旨を逸脱しない範囲において各種の変形例を採用することができる。
上記第１、第２実施形態において、ガイド縁３６の第２ガイド部３６ｂを省いてもよい。この場合、図示の第１ガイド部３６ａだけがガイド部として提供され、凹部３６ｃに段差３６ｄを介して連なる。この場合、段差３６ｄだけが高さ変化部として提供される。
上記第１、第２実施形態において、ガイド縁３６の第１ガイド部３６ａを省いてもよい。この場合、図示の第２ガイド部３６ｂだけがガイド部として提供される。この場合、第１実施形態では、第２ガイド部３６ｂの一端が受け板部１２の上縁と同一高さをなして連なるのが好ましいが、受け板部１２の上縁より低くてもよい。また、第２実施形態では、第２ガイド部３６ｂの一端が差込板部２２の下縁と同一高さをなして連なるのが好ましいが、差込板部２２の下縁より低くてもよい。
【００６２】
上記第１、第２実施形態において、ガイド縁３６の凹部３６ｃと段差３６ｄを省いてもよい。この場合、第２ガイド部３６ｂだけが高さ変化部として提供される。作業者は、係合片４７の凸部４７ａが第２ガイド部３６ｂを過ぎて、パネル２が上方へ移動しなくなった時に、係合穴３７に近づいたことを知り、若干横移動した後でパネル２を押し下げることにより、パネル２を正規の取付位置にセットすることができる。
【００６３】
ガイド縁３６が一対の第１ガイド部３６ａと一対の第２ガイド部３６ｂを有している場合には、パネル２を正規の取付位置の右斜め上方から降ろしてもよいし左斜め上方から降ろしてもよい。
上記実施形態では、ガイド縁３６は、ガイド部３６ａ，３６ｂ、段差３６ｄを左右一対有しているが、左右いずれかだけに有していてもよい。
保持構造は、荷重負担構造の左右いずれか一端にのみ配置してもよい。
下側の取付装置が荷重負担構造と保持構造を備えるようにしてもよい。
下側の取付装置は省いてもよい。
パネルが非常に軽い場合、または保持構造が荷重を負担できる機能を有する場合には、荷重負担構造を省き、保持構造だけでパネルを取り付けてもよい。
【産業上の利用可能性】
【００６４】
本発明は、パネルを壁等に取り付ける装置に適用することができる。
【符号の説明】
【００６５】
１  壁（支持部材）
２  パネル
５Ａ  パネル取付装置
６  荷重負担構造
７、７’  保持構造
１０  受け部材
１１  固定板部
１２  受け板部
１４  挿入空間（受け側挿入空間）
２０  差込部材
２１  固定板部
２２  差込板部
２４  挿入空間（差込側挿入空間）
３０  第１部材
３１  固定板部（第１固定板部）
３２  係合板部
３６  ガイド縁
３６ａ  第１ガイド部（ガイド部）
３６ｂ  第２ガイド部（ガイド部、高さ変化部）
３６ｃ  凹部
３６ｄ  段差（高さ変化部）
３７  係合穴
３８  挿入空間（他の挿入空間）
４０  第２部材
４１  固定板部（第２固定板部）
４２  支持板部
４７  係合片
４７ａ  凸部
【図１】
0006936284.tif 000002
【図２】
0006936284.tif 000003
【図３】
0006936284.tif 000004
【図４】
0006936284.tif 000005
【図５】
0006936284.tif 000006
【図６】
0006936284.tif 000007
【図７】
0006936284.tif 000008
【図８】
0006936284.tif 000009
【図９】
0006936284.tif 000010
【図１０】
0006936284.tif 000011
【図１１】
0006936284.tif 000012
【図１２】
0006936284.tif 000013